(57)【特許請求の範囲】
【請求項１】
肥料を貯留するホッパの下方に、該ホッパから流下する肥料を所定量ずつ繰り出す繰出し機構を備えて肥料供給装置を構成し、前記繰出し機構を、外周に肥料入り込み用の凹部が形成された繰出しロールと、この繰り出しロールを回転自在に支承して収容するロールケースとで構成し、
前記ホッパから流下する肥料を前記繰出しロールに導く供給経路が開通される開通姿勢と、前記供給経路が遮断される閉じ姿勢とに切換え自在なシャッタを設けるとともに、これらいずれの姿勢でも前記シャッタが前記ロールケース内に収容される状態に構成し、前記シャッタを可撓性を有した板材で形成し、前記閉じ姿勢では前記シャッタが平板状となって前記供給経路を遮断し、かつ、前記開通姿勢では前記シャッタがホッパ内側壁に沿うように折り曲げられて前記供給経路から退く構成としてある施肥装置付き田植機。
【請求項２】
前記シャッタに連結されたロッドを前記ロールケースから外部に突設し、そのロッドの押し込み操作で前記シャッタの開通姿勢が現出され、かつ、前記ロッドの引き出し操作で前記シャッタの閉じ姿勢が現出されるように構成してある請求項１に記載の施肥装置付き田植機。
【請求項３】
前記ロールケースにおける前記ロッドを貫通させる挿通孔を、前記シャッタが前記ロールケースに組付けられた状態における前記ロッドの正規の突設位置を一端とする左右方向に長い横長孔と、この横長孔の他端に引き続く上下方向に長い縦長孔とで成る略Ｌ字形状に形成してある請求項２に記載の施肥装置付き田植機。
【請求項４】
前記ロッドの正規の位置における該ロッドの押し引き移動のみを許容する操作孔を備えた蓋部材を、前記ロールケースに着脱自在に装備してある請求項３に記載の施肥装置付き田植機。
【請求項５】
前記シャッタを複数備え、その複数のシャッタのうちのいずれかを、薬剤供給用のものに構成してある請求項１〜４のいずれか１項に記載の施肥装置付き田植機。
【発明の詳細な説明】
【０００１】
【発明の属する技術分野】
本発明は、施肥装置付き田植機に係り、肥料繰出し機構をコンパクトでその繰出し量調節操作が容易に行える等の合理化を図る技術に関する。
【０００２】
【従来の技術】
田植機に搭載される施肥装置は、特開平５‐３１６８４６号公報で示された植付装置側に装備される構造のものや、特開平１０‐３０４７２２号公報で示された機体後部側に装備される構造のもの等の種々のものが知られている。いずれの公報に示されたものでも、繰出し機構でホッパの肥料を所定量ずつ順次繰り出し、その繰り出された肥料を植付装置に備えた作溝器から圃場に供給する構造を採っていた。
【０００３】
【発明が解決しようとする課題】
施肥装置では、複数の条における施肥量を均一化したり絶対量を変更したりするために、各条毎の繰出し機構に単位時間当たりの繰出し量を調節する機構を備えている。その構造は前記前者の公報に示されたように、繰出しロールの凹部の幅をネジ込み操作で調節するものであり、調節幅が無段に選べる利点がある。しかしながら、実際にはあまり精度の高い微調節は行わなくても済むことが判ってきたので、構造が複雑であり、部品点数も多くなる前記前者の公報に示された施肥量調節機構には割高感があった。
【０００４】
【０００５】
上記実情に鑑みて本発明は、肥料繰出し機構やホッパ構造を、コストダウンしたり取扱い易くする等の合理化を図ることを目的とする。
【０００６】
【０００７】
【課題を解決するための手段】
〔構成〕
第１発明は、施肥装置付き田植機において、肥料を貯留するホッパの下方に、該ホッパから流下する肥料を所定量ずつ繰り出す繰出し機構を備えて肥料供給装置を構成し、前記繰出し機構を、外周に肥料入り込み用の凹部が形成された繰出しロールと、この繰り出しロールを回転自在に支承して収容するロールケースとで構成し、
前記ホッパから流下する肥料を前記繰出しロールに導く供給経路が開通される開通姿勢と、前記供給経路が遮断される閉じ姿勢とに切換え自在なシャッタを設けるとともに、これらいずれの姿勢でも前記シャッタが前記ロールケース内に収容される状態に構成し、前記シャッタを可撓性を有した板材で形成し、前記閉じ姿勢では前記シャッタが平板状となって前記供給経路を遮断し、かつ、前記開通姿勢では前記シャッタがホッパ内側壁に沿うように折り曲げられて前記供給経路から退く構成としてあることを特徴とする。
【０００８】
【０００９】
第２発明は、第１発明において、シャッタに連結されたロッドをロールケースから外部に突設し、そのロッドの押し込み操作でシャッタの開き姿勢が現出され、かつ、ロッドの引き出し操作でシャッタの閉じ姿勢が現出されるように構成してあることを特徴とする。
【００１０】
第３発明は、第２発明において、ロールケースにおけるロッドを貫通させる挿通孔を、シャッタがロースケースに組付けられた状態におけるロッドの正規の突設位置を一端とする左右方向に長い横長孔と、この横長孔の他端に引き続く上下方向に長い縦長孔とで成る略Ｌ字形状に形成してあることを特徴とする。
【００１１】
第４発明は、第３発明において、ロッドの正規の位置におけるロッドの押し引き移動のみを許容する操作孔を備えた蓋部材を、ロールケースに着脱自在に装備してあることを特徴とする。
【００１２】
第５発明は、第１〜４発明において、前記シャッタを複数備え、その複数のシャッタのうちのいずれかを、薬剤供給用のものに構成してあることを特徴とする。
【００１３】
【００１４】
【００１５】
〔作用〕
請求項１の構成によれば、シャッタは常にロールケールに収容されているので、例えばロールケースを貫通してシャッタを外部に出すことで開き姿勢を現出させる構造に比べて、ロールケースに貫通部分が減る又は無くなるので、肥料漏れやゴミ等が外部から入ることが減少又は解消され、シール性が向上するようになる。
【００１６】
【００１７】
請求項１の構成によれば、次のような作用が得られる。シャッタを可撓性を有した板材で形成し、開通姿勢ではシャッタが平板状となって供給経路を遮断し、かつ、閉じ姿勢ではシャッタがホッパ内側壁に沿うように折り曲げられて供給経路から退くので、ロールケースにおけるシャッタ収容部が外方に大きく突出しないようにすることができる。つまり、ロールケースを大型化することなくシャッタのケース内装構造を実現させることができる。
【００１８】
請求項２の構成によれば、シャッタに連結されたロッドをロールケースから外部に突設し、そのロッドの押し込み操作でシャッタの開通姿勢が現出され、かつ、ロッドの引き出し操作でシャッタの閉じ姿勢が現出されるように構成したので、ケース内装のシャッタを外部から操作できて便利であるとともに、そのためにロールケースに形成されるロッド貫通用の孔は小さなもので済み、シール性を良好にすることができる。又、ロッドが押し込まれた状態で施肥可能となるので、施肥作業中にロッドが突出して邪魔になるということが生じ難い。
【００１９】
請求項３の構成によれば、ロールケースにおけるロッドを貫通させる挿通孔を、シャッタがロールケースに組付けられた状態におけるロッドの正規の突設位置を一端とする左右方向に長い横長孔と、この横長孔の他端に引き続く上下方向に長い縦長孔とで成る略Ｌ字形状に形成することにより、ロッド付きシャッタのロールケースへの組付け及び取外しを行うに必要なロールケースへの孔の大きさを最小限度にすることが可能になる。
【００２０】
すなわち、詳しくは実施形態の項で説明するが、ロッド付きシャッタの全長はロールケース上面の開口の寸法よりも長くなるので、組付け手順としては、先ずシャッタを上下方向に傾けた状態としてロッドを縦長孔からケース外部に取出し、シャッタの上下方向姿勢を水平等の正規の姿勢に操作し、それから、ロッドを横長孔を通して左右方向位置を正規の位置にセットする、というものになる。取外すときは、上記の逆の手順になる。
【００２１】
請求項４の構成によれば、ロッドの正規の位置におけるロッドの押し引き移動のみを許容する操作孔を備えた蓋部材を装備したので、ロールケースに形成された略Ｌ字形の挿通孔におけるロッド挿通部分以外を閉塞することができ、挿通孔からの肥料漏れだしやゴミの侵入等の防止してシール性を向上させることができる。蓋部材はロールケースに対して着脱自在であり、外した状態ではシャッタのロールケースに対する着脱の邪魔になることがない。
【００２２】
請求項５の構成によれば、ホッパから流下する肥料を繰出しロールに導く供給経路が開通される開通姿勢と、供給経路が遮断される閉じ姿勢とに切換え自在なシャッタを複数設けたので、開通姿勢の数と閉じ姿勢の数との組み合わせによって単位時間当たりの繰り出し量を複数段に調節することがきる。圃場への肥料供給量は、厳密に調節しなければならないというものではなく、ほぼ同じであれば十分であってあまり厳しい精度を要求しなくても良いことが判ってきたので、従来のようなネジ式の無段階調節構造に変えて、比較的構造が簡単になる複数段切換え式の採用が可能になったのである。
そして、複数のシャッタのうちのいずれかを薬剤供給用のものとしたので、施薬装置を装備する場合には、施肥装置用の繰り出し機構の一部を施肥用のものに兼用でき、施薬用専用の繰出し機構を省略することができるようになる。
【００２３】
【００２４】
〔効果〕
請求項１〜５のいずれに記載の施肥装置付き田植機でも、施肥作業の実情を熟知してのケース内装シャッタによる有段階施肥量調節構造の採用により、肥料漏れや異物混入の無い良好なシール性能を得ながら、構造の簡素化によるコストダウンを図ることができた。
【００２５】
請求項１に記載の施肥装置付き田植機では、シャッタを可撓性材料で構成して折り曲げ姿勢と伸展姿勢とで肥料供給経路の断続を行わせる工夫により、経済的で、かつ、ロールケースの大型化なくシャッタを内装できる利点がある。
【００２６】
請求項２に記載の施肥装置付き田植機では、シャッタに連結したロッドをケース外に出して押し引き操作させる工夫により、ロールケースのロッド貫通孔を小さくできてシール性を阻害することなく、ケース内装シャッタを手指で操作できる便利なものにできた。
【００２７】
請求項３に記載の施肥装置付き田植機では、ロッド付きシャッタのロールケースへの組付け及び取外し用孔を必要最小限度のものにでき、シール性を損なうことなくシャッタのロールケースへの着脱操作性を良好にできた。例えば、ロッド挿通孔を最小とするべく、ロッドとシャッタとをロールケースに装着してから連結する手段が考えられるが、これでは手指の入れ難い比較的狭いロールケース内での連結操作が非常に行い難くなり、却って着脱し難いとともに、ボルト等の連結機構を落として紛失し易い等の不利もあるから、本請求項の構造による方が好ましい。
【００２８】
請求項４に記載の施肥装置付き田植機では、ロッドの押し引き移動のみを許容する操作孔を備えた蓋部材をロールケースに後付けさせることにより、ロッド挿通用孔の開放部分を実質的に無くすことが可能になり、よりシール性を向上させることができた。
【００２９】
請求項５に記載の施肥装置付き田植機では、複数のシャッタで繰り出し量調節を行わせる構造を施薬用の繰出し機構に兼用化でき、経済的、合理的に施肥装置を施肥及び施薬兼用型に仕様変更可能となって汎用性に優れる利点がある。
【００３０】
【発明の実施の形態】
図１，図２に示すように、操向操作自在な左右一対の前輪１及び左右一対の後輪２を備えた機体の前部に、エンジン３及びミッションケース４を備えて、機体の中央部に運転部５を形成し、機体の後部にリンク機構６を介して苗植付装置７を昇降操作自在に連結して乗用型田植機を構成してある。苗植付装置７は６条植えに構成されており、３個の植付伝動ケース８、植付伝動ケース８の左右両側に回転駆動自在に支持される回転ケース９、回転ケース９の両端に配備される一対の植付爪１０、３個の接地フロート１１、及び苗載台１２等で構成してある。
【００３１】
次に施肥装置Ａについて説明する。
図１〜図６に示すように、施肥装置Ａは、粉粒体である肥料を貯留するホッパ１３、このホッパ１３から流下して送られてくる肥料を肥料移送経路である施肥ホース１４の始端部である漏斗部２０に所定量ずつ繰り出す繰出し機構１５、施肥ホース１４で送られてくる肥料を圃場に供給する作溝器５２、漏斗部２０に繰り出された肥料を風力で施肥ホース１４に送り込むブロワ１６、ブロワ１６で生起された風を計６箇所の施肥ホース１４に分配供給する送風ダクト１７等から構成されている。
【００３２】
図６，図８に示すように、繰出し機構１５は、外周に肥料入込み用の凹部２４ａが周方向に沿って多数形成された繰出しロールＲを、ホッパ１３の肥料排出口の下方で、漏斗部２０の上方の位置で回転可能にロールケース１８内に配置して構成してある。繰出しロールＲを、これに一体形成された従動ギヤ１９Ｇと、動力が入力される駆動軸２１の駆動ギヤ２１Ｇとの咬合によって駆動回転するように構成してある。
【００３３】
図８，図９に示すように、繰出しロールＲは、一端に従動ギヤ１９Ｇが形成された中空状の回転軸１９に、２種類の幅と２種類の深さを備えた計６個の部分ロールｒ１〜ｒ３を一体回転状に外嵌して構成されている。左右方向で中央の第１部分ロールｒ１，ｒ１と、中央から２番目の第２部分ロールｒ２，ｒ２とは幅及び深さの小なる凹部２４ａを備えた同一のものであり、左右端の第３部分ロールｒ３，ｒ３は幅及び深さの大なる凹部２４ａを備えたものに設定してある。
【００３４】
各部分ロールｒ１〜ｒ３の夫々には、左右片側にのみ仕切り壁２４ｂが形成されており、各仕切り壁２４ｂが全て同じ向きになるように並設されるとともに、一方の第１部分ロールｒ１の仕切り壁２４ｂが繰出し機構としての左右中心に一致するように配置されている。そして、一方の最も端の第３部分ロールｒ３とロールケース１８との間に１個の仕切りリング２３を配備することによって各凹部２４ａを軸方向に仕切ってある。尚、２２は、各部分ロールｒ１〜ｒ３にすり切り作用するブラシである。
【００３５】
図８〜図１１に示すように、繰出しロールＲの上側には、押込み移動及び復帰自在な第１〜第３部分シャッタｓ１〜ｓ３を備えて成るシャッタ機構Ｓが配置されている。このシャッタ機構Ｓは、第１〜第３部分ロールｒ１〜ｒ３のいずれか一つ又は複数に肥料供給するかを選択設定することにより、単位時間当たりの施肥量を複数段階に調節できるようにするものである。
【００３６】
各部分シャッタｓ１〜ｓ３はいずれも同じ構造であり、図１２に示すように、第２部分シャッタｓ２のもので説明すると、ホッパ１３からの肥料が繰出しロールＲに流下するのを阻止する遮断板２６と、手指で摘むことで押し引き操作される棒状の操作部２５とで構成されている。遮断板２６はバネ板製であって上下方向に弾性変形自在であるとともに、操作部２５はロールケース１８に形成された前後方向視でＬ字状の挿通孔７９を貫通して前方に延設されている。遮断板２６は、プラスチック薄板でも良く、要は可撓性を有したものであれば良い。
【００３７】
シャッタ操作としては、ロッド２５を摘んで（前方に）引き出せば遮断板２６が繰出しロールＲ上に位置して肥料供給が遮断される閉じ姿勢（図１１の左側参照）になり、ロッド２５を摘んで（後方に）押込めば、遮断板２６が上方に屈曲してロールケース１８内壁面に沿って収納されて、繰出しロールＲ上に細いロッド２５のみが位置して肥料供給される開通姿勢（図１１の右側参照）になる。
【００３８】
閉じ姿勢では遮断板２６（シャッタの一例）が水平な平板状となって供給経路ｗを遮断し、かつ、開通姿勢では遮断板２６がガイド部７８によって後側のホッパ内側壁に沿うように折り曲げられて供給経路ｗから退く構成としてあり、開通姿勢でも遮断板２６をロールケース１８に収容するようにしながら、そのためにロールケース１８を後方に突出させないコンパクトな形状としてある。
【００３９】
図２３に示すように、ロールケース１８におけるロッド２５を前後に貫通させる挿通孔７９を、部分シャッタｓ１〜ｓ３がロールケース１８に組付けられた状態におけるロッド２５の正規の突設位置を一端とする左右方向に長い横長孔７９ｂと、この横長孔７９ｂの他端に引き続く上下方向に長い縦長孔７９ａとで成る略Ｌ字形状に形成してある。これは、部分シャッタｓ１をロールケース１８に不具合なく組付け及び取外しできながら必要最小限度の孔とするものである。
【００４０】
すなわち、部分シャッタｓ１を組付けるには、図２４に示すように、ロールケース１８上面開口からロッド２５を下にした斜め姿勢でロッド２５を縦長孔７９ａを通してケース外部に出して遮断板２６をロールケース１８内に入れ込み、水平な姿勢にする。それから、ロッド２５を横長孔７９ｂを横にスライドさせ、ロッド２５が横長孔７９ｂの一端に位置し、かつ、遮断板２６が前後スライド箇所に位置した正規の位置に部分シャッタｓ１をセットするのである。取外すときには、上記の逆に操作することになる。
【００４１】
そして、ロッド２５の正規の位置におけるロッド２５の押し引き移動のみを許容する円形の操作孔８０を備えたゴム製のキャップ（蓋部材の一例）８１をロールケース１８に着脱自在に装備し、Ｌ字形状の挿通孔７９からの肥料の漏れだしや外部からゴミの侵入を阻止してシール性を向上させてある。
【００４２】
例えば、第１及び第２部分ロールｒ１，ｒ２に対するシャッタｓ１，ｓ２を引っ張り出して閉じ姿勢にし、かつ、第３シャッタｓ３を押し込んで開通姿勢にすると、第３部分ロールｒ３の凹部２４ａにのみ肥料が入り込む状態で施肥が行われる。又、全ての部分シャッタｓ１〜ｓ３を押し込めば、全ての部分ロールｒ１〜ｒ３の凹部２４ａに肥料が入り込むので、単位時間当たりに繰り出される肥料が多い状態となる。このように３個の部分シャッタｓ１〜ｓ３を単独で、或いは組み合わせて押し込み又は引っ張り出しすることにより、単位時間当たりに繰り出される肥料の量を５段階（ｒ１又はｒ２，ｒ３，ｒ１＋ｒ２，ｒ１又はｒ２＋ｒ３，ｒ１＋ｒ２＋ｒ３）に調節することができる。
【００４３】
上記構造の繰出し機構１５を２条一体型に構成して成る繰出し部ｋの４組を左右に並設してあるとともに、その４組の繰り出し部ｋのうちの内側２組の繰出し部ｋ，ｋは、２組あるシャッタ機構Ｓ，Ｓの一方を全閉状態として１組の繰出し機構１５のみ作動する１条用のものに設定してある。つまり、図１０に示すように、左右端の２条用の繰出し部ｋ，ｋの間に、２組の１条用の繰出し部ｋ，ｋを配置して６条用の施肥装置Ａを構成してある。
【００４４】
ホッパ１３は、左右端の２条用大容量ホッパ部１３ａ，１３ａと、内側の１条用小容量ホッパ部１３ｂ，１３ｂとを一体形成して成る樹脂製のものに構成されている。小容量ホッパ部１３ｂ，１３ｂの前後幅は、運転座席２７の後方に位置する短いものに、かつ、大容量ホッパ部１３ａ，１３ａの前後幅は、運転座席２７の左右側方に回り込む長いものに構成してあり、２条用と１条用夫々の肥料量に見合った容量が設定されている。又、ホッパ１３の開閉蓋２８は、４箇所のホッパ部１３ａ，１３ｂ，１３ｂ，１３ａに亘る一体品であり、図７に示すように、後部に設けた支点Ｚで揺動開閉自在に取付けてある。
【００４５】
開閉蓋２８の支持構造について説明する。図７，図２０に示すように、支点Ｚ回りに下降揺動してホッパ本体１３ａ，１３ｂの上面に形成された開口１３Ｓを閉塞する水平な閉じ姿勢〔図２０（イ）参照〕と、支点Ｚ回りに上昇揺動して開口１３Ｓを開放するやや前倒れ起立（７５度）した開き姿勢〔図２０（ロ）参照〕とに姿勢変更自在に構成してある。肥料補給時には開閉蓋２８を開き姿勢にして行う。
【００４６】
つまり、開閉蓋２８の裏面における支点Ｚ近くの部分に、及び、ホッパ本体１３ａの支点Ｚを有したステー１３ｃの先端部分の夫々に、対向して突出する突起７６，７７を形成し、開閉蓋２８の上昇揺動によって蓋突起７６が基突起７７を乗り越えると、蓋突起７６の上側面と基突起７７の下側面との接当によるデテント機能により、開閉蓋２８の重力による下降揺動を係止して開閉蓋２８の開き姿勢を維持するように構成してある。
【００４７】
又、開き姿勢の開閉蓋２８をさらに上昇側（後方側）に揺動すると、開閉蓋２８がホッパ本体１３に接当して止まる姿勢〔図２０（ハ）参照〕、すなわち、開閉蓋２８の重心位置が支点Ｚの後側に位置する最大開き姿勢（重力によるデッドポイントを越えた姿勢）まで開くことも可能である。
【００４８】
図２２に示すように、開閉支点Ｚを有した支点ピン８３は、開閉蓋２８とホッパ本体１３を貫いて相対回動自在に支承しており、そのピン先端８３ａは開閉蓋２８内部での行き止まり状態によって位置決めされている。開閉蓋２８から少し突出しているピン基端８３ｂは、開閉蓋２８から突設した薄い板状の舌片８４で抜け止め状態に位置決めされている。支点ピン８３の抜き差しは、図２２（イ）に示すように、舌片８４を少し曲げ変形させて支点Ｚから退けることで容易に行える。この舌片８４の反復曲げ変形及び復帰の性質は、ホッパ蓋２８をＰＰ樹脂で形成したことで得ている。
【００４９】
繰出し機構１５の駆動構造について説明する。
図７〜図１０に示すように、４個の各ロールケース１８のボス部１８ｂに亘って、断面六角状の１本の駆動軸２１が回転自在に支持されており、この駆動軸２１に前述した駆動ギヤ２１Ｇを相対回転自在に外嵌してある。そして、シフト回転体２９が駆動軸２１に一体回転及びスライド自在に外嵌されて、シフト回転体２９を駆動ギヤ２１Ｇへの咬合側に付勢するバネ３０を備えるとともに、バネ３０に抗してシフト回転体２９を駆動ギヤ２１Ｇから離脱させるべく、揺動自在なシフト部材３１を備えてある。つまり、ワイヤー（符記せず）を引張ることでシフト部材３１を強制揺動させて、駆動軸２１の回転動力が繰出し機構１５に伝わるのを遮断可能な施肥クラッチ３３を構成してある。
【００５０】
図１，図４に示すように、車体下部には、ミッションケース４から機体後部の後車軸ケース３４に動力伝達する走行伝動軸３５が前後配置されており、この走行伝動軸３５から施肥装置Ａに動力分配するための伝動ケース３６を、後車軸ケース３４の直前位置に設けてある。走行伝動軸３５を囲繞する状態の伝動ケース３６にはベベルギヤ機構（図示せず）が装備され、その出力軸に取付けた駆動アーム３７を左右一方の横側方に装備してある。
【００５１】
一方、図７，図１３，図１４に示すように、駆動軸２１には、第１ワンウェイクラッチ３８を介して従動アーム３９が装備されており、この従動アーム３９と駆動アーム３７とをロッド４０で連動連結してあるとともに、従動アーム３９の上方揺動と下降揺動のいずれの動きも、駆動軸２１の一定方向の回転に変換させる変換機構４１を備えてある。つまり回転する駆動アーム３７で往復駆動揺動される従動アーム３９を１個備える構造としながら、駆動軸２１を連続的に一定方向に回転させるようにしてある。
【００５２】
変換機構４１は、第１ワンウェイクラッチ３８と同方向の回転力のみ伝達する第２ワンウェイクラッチ４２を介して駆動軸２１に外嵌される副従動アーム４３と、支点Ｙで揺動自在なベルクランク４４と、従動アーム３９の前端部とベルクランク４４とを連動するロッド４５と、ベルクランク４４と副従動アーム４３とを連動するロッド４６とから構成されている。
【００５３】
つまり、従動アーム３９が上昇揺動するときは、図１３（イ）に示すように、第１ワンウェイクラッチ３８が一体で回動して駆動軸２１を矢印イ方向に回転させ、矢印ロ方向に回動することになる副従動アーム４３の回転は、第２ワンウェイクラッチ４２が空回りすることになる。又、従動アーム３９が下降揺動するときは、図１３（ロ）に示すように、矢印ロ方向に回動することになる第１ワンウェイクラッチ３８は空回りし、矢印イ方向に回転することになる副従動アーム４３の回転は、第２ワンウェイクラッチ４２が一体で回動して駆動軸２１を同じく矢印イ方向に回転させるのである。
【００５４】
図４，図５，図１９に示すように、送風ダクト１７は、漏斗部２０に接続される状態で４組の繰出し部ｋ毎に配備されるゴム等の軟質材製の部分ダクトＤ１と、これら部分ダクトＤ１とブロワ１６とを順次接続連結するＰＥ樹脂やＰＰ樹脂等の硬質材製の連結ダクトＤ２とを繋ぎ合わせた単一の送風経路に構成してある。連結ダクトＤ２は、互いに隣合う部分ダクトＤ１どうしを接続連結する３個の中間連結ダクト４９と、最も送風上手側の部分ダクト４８とブロワ１６とを接続連結する始端側連結ダクト５０と、の計４部品で構成されている。
【００５５】
部分ダクトＤ１は、送風上手側２個の部分ダクト４８，４８と、蓋５１ｂが一体形成された送風下手側の部分ダクト５１と、送風下手側から２番目の部分ダクト４７との３種類から構成されている。そして、各繰出し部ｋにおける漏斗部２０の各々に供給される風力を均一化するべく、これら部分ダクト５１，４７，４８，４８内の送風経路に突出する突起部５１ａ，４７ａ，４８ａ，４８ａを一体形成してある。送風下手側２個の突起部５１ａ，４７ａは同じ突起であるが、これらよりも送風上手側２個の突起部４８ａの方が大きいものとしてある。
【００５６】
すなわち、送風ダクト１７での風の取込み口面積を同一とした場合には、風下側程風圧が高くなって単位時間当たりの風方が大となる傾向にあり、それを是正するにはダクト内部に絞りを設けて、送風下手側の取込み口程、その風上側でのダクト断面積を小さくすることが有効であることが判ってきた。
【００５７】
従って、４個の部分ダクトＤ１夫々に形成される突起を、風上側から順に大きくすれば良いのであるが、そうすると４個の部分ダクトＤ１が全て異なる部品となり、型費が高くなるとか部品管理上や組付け間違いが生じ易い等の不利がある。そこで、大きい突起４８ａと小さい突起４７ａ，５１ａとを備えた２種の部分ダクト４８，４７（５１）を２個ずつ配置する手段により、各漏斗部２０への風量の均一化と上記不利の解消との中用を図ってある。
【００５８】
繰出し部ｋにおいては、施肥ホース１４の始端である風取込み口１４ａ，１４ａが極めて接近して並んでいるので、風下側の風取込み口１４ａが送風ダクト１７のより奥まで挿入されるように位置差を設けてあり、これによって相隣る風取込み口１４ａ，１４ａでの風量の均一化も図ってある。又、部分ダクトＤ１はゴム製であって、各取込み口１４ａを隙間無く直接嵌合連結することができるので、従来では必要であったゴムパッキン等のシール材の省略に成功している。
【００５９】
図１５〜図１７に示すように、機体の左側に装備されるブロワ１６は、電動モータ５３で回転駆動される羽根車５４を二つ割り構造のケーシング５５内に収容して成る遠心型に構成されており、ケーシング５５には、下向きの吸込み口５５ａと下側で右向きの排風口５５ｂとが形成されている。排風口５５ｂは、始端側連結ダクト５０の始端側に挿入される構造である。
【００６０】
図５，図６，図１８に示すように、ケーシング５５に取付けられた側面視略コ字状のブラケット５６を、始端側連結ダクト５０の前側（電動モータ５３側）に設けた縦軸芯Ｘ、すなわち機体フレーム側の支承パイプ５７の縦向き部分に、上下方向に位置決めされた状態で相対回動自在に外嵌してある。これによりブロワ１６は、排風口５５ｂが始端側連結ダクト５０に挿入して接続連結される閉じ作用姿勢と、その作用姿勢から前方に回動して排風口５５ｂと始端側連結ダクト５０との連結が解除されてその接続連結部が露呈される開き退避姿勢（図１８の仮想線参照）とに姿勢変更自在である。
【００６１】
次に、施肥装置Ａの支持フレームについて説明する。
図４〜図６に示すように、施肥装置用支持フレームｆは、４個の繰出し部ｋを一体的に支持する主支持フレーム５８と、この主支持フレーム５８を機体に固定する主及び副の取付けフレーム５９，６０と、前述した支承パイプ５７とから構成されている。
【００６２】
主支持フレーム５８は、上辺が下辺よりも後方に突出した断面略後向きコ字状で左右に延びるチャンネル材で構成され、各ロールケース１８を２本の取付けボルト６１で固定している。大小のホッパ部１３ａ，１３ｂの夫々には、肥料が残り少なくなったことを検出する肥料残量センサ６２を計４個装備してあり、それらの配線である左右のワイヤーハーネス６３，６３を機体に導くべく、主支持フレーム５８内側の空間部を利用して配策してある（図８参照）。
【００６３】
主支持フレーム５８は、これに溶着された左右中央の主取付けフレーム５９と、それの左右夫々にボルト止めされた計２個の副取付けフレーム６０，６０とで機体フレームＦに支持してある。主取付けフレーム５９は、左右一対のステー部５９ａ，５９ａと、これらに亘って跨がる下向きＵ字状のパイプ部５９ｂとを一体化して構成され、運転座席２７等を支持する板金製の縦フレーム６４にボルト止めされている。副取付けフレーム６０は、後方に９０度曲がる状態で立ち上げられた板材で構成され、後方フレーム６６に溶着されたサポート部材（フェンダ６５支持用）６７にボルト止めされている。
【００６４】
支承パイプ５７は、その下部が後方フレーム６６から垂下されたブラケット６６ａにボルト止めされるとともに、主支持フレーム５８の左端に前方突出状態に溶着されたアーム部材５８ａに上端部を嵌合してピン止めしてある。ブロワ１６を支持するブラケット５６は、上下のグロメット６８，６８を介して支承パイプ５７に嵌装されるとともに、支承パイプ５７に溶着されたワッシャ６９で位置決めされている。
【００６５】
植付爪１０によって植え付けられた苗の横側部に、溝を形成しながら肥料を田面に送り込んでいく作溝器５２を備えてあり、６個の作溝器５２が接地フロート１１に各々２個ずつ取付けられている。左右外側２組の繰出し部ｋ，ｋでは、各繰出し機構１５と２個の作溝器５２とが２本の施肥ホース１４によって接続され、左右内側２組の繰出し部ｋ，ｋでは、一方の繰出し機構１５と１個の作溝器５２とが１本の施肥ホース１４で接続されている。
【００６６】
以上の構造により、ＰＴＯ軸７０の動力によって苗植付装置７の回転ケース９が回転駆動され、一対の植付爪１０により苗載台１２から交互に苗が取り出され田面に植え付けられて、苗の植付作業が行われる。これと同時に、走行伝動軸３５の動力で駆動アーム３７の回転運動によるロッド４０の往復運動が、変換機構４１によって駆動軸２１の一定方向の回転運動に変換されて繰出し機構１５が駆動される。
【００６７】
すると、繰出しロールＲの凹部２４ａにホッパ１３からの肥料が入り込み、回転軸１９の回転により肥料が漏斗部２０に繰出されるとともに、ブロア１６の風が送風ダクト１７を介して漏斗部２０に供給され、高圧の風により肥料が施肥ホース１４を通って作溝器５２に迅速に供給されて、作溝器１８で形成された圃場の溝に肥料が供給される、という一連の施肥作業が行われるのである。
【００６８】
図１３に示すように、従動アーム３９におけるロッド４０との連結位置が変更自在に構成されており、その連結位置変更により、ロッド４０の往復運動に対する従動アーム３９の揺動角度を変更し、駆動軸２１及び繰出しロールＲの回転速度を変更して、繰り出される肥料の量を調節することができる。
【００６９】
一つの植付伝動ケース８（一対の回転ケース９）に対して動力を伝動及び伝動遮断操作自在な各条クラッチ（図示せず）、各条クラッチを伝動及び伝動遮断操作する各条クラッチレバー（図示せず）が備えられている。図９に示すように、繰出し部ｋの固定部の軸芯周りで揺動自在な操作アーム３１は、その端部がシフト回転体２９に係合しており、各条クラッチレバー（符記せず）と操作アーム３１とがワイヤ（符記せず）により接続されている。
【００７０】
これにより、例えば右側の植付伝動ケース８の各条クラッチレバーを伝動遮断側に操作して、右側の植付伝動ケース８の各条クラッチを伝動遮断操作すると、右側の植付伝動ケース８の一対の回転ケース９が停止して、右側の２つの植付条の植え付けが行われず、右側の２つの植付条に対応する肥料繰出し部ｋの駆動軸１５が停止して、右側の２つの植付条への肥料の供給が停止する。
【００７１】
図８に示すように、シャッタ機構Ｓの直下におけるブラシ２２の前側には、肥料排出口７１が形成してあり、横軸芯Ｗ周りで揺動自在な切換板７２によって排出口７１を開閉自在に構成してある。排出口７１は、合流経路７３を介して排出ホース７４を接続してあり、通常の苗植付作業時には、切換板７２を閉姿勢に操作され、ホッパ１３からの肥料は全て繰出し機構１５に供給される。そして、苗植付作業を終了した場合等において、ブロワ１６及び施肥装置Ａ停止させた状態で、切換板７２を開姿勢に操作すると、ホッパ１３に残った肥料が排出ホース７４を通して排出することができる。
【００７２】
ところで、繰出し部ｋは２箇所の漏斗部２０，２０とその幅に見合う２組分のロールケース１８を備えた２条一体型が基本であるが、左右中央の２個の繰出し部ｋは、６条用に合わせるために、一方の漏斗部２０が機能しないようにしてある。すなわち、図１０に示すように、３個１組の部分ロールｒ１〜ｒ３のワンセットを省き、かつ、左右中央の２個の肥料ホッパ１３ｂ，１３ｂでは、部分ロールｒ１〜ｒ３のワンセット分の供給口幅となるように傾斜底面７５を追加形成してある。
【００７３】
尚、前述した６条用のホッパ１３を５条用とする場合、ホッパ１３をインジェクション成形する構造では、図２１の二点鎖線に示すように、繰出し機構１５が不要な部分に別部品の中蓋８５を後付け装着する。ホッパ１３をブロー成形する構造では、前述した中蓋８５の形状として形成されるように、繰出し機構１５が不要な部分を型成型自体で一体形成すれば良い。
【００７４】
〔別実施形態〕
図２５に示すように、複数の部分シャッタｓ１〜ｓ３のうちのいずれか（例えばｓ１のみ、或いはｓ１とｓ２）を、薬剤供給用のものに構成しても良い。この場合には、図２７や図２８に示すように、肥料ホッパ１３の中に薬剤ホッパ８２を配備して各部分シャッタに対応させるのであり、肥料用の繰出し機構１５としながら、肥料と薬剤の双方の繰り出しが行えるものにすることができる。尚、繰出しロールＲに作用する施薬用ブラシ（図示せず）は、肥料用のブラシ２２よりも目の細かいものになる。
【００７５】
図２６は１条用の施薬装置Ｂを、図２５は２条用の施薬装置Ｂを示し、内装される薬剤ホッパ８２は肥料ホッパ１３にボルト止めされており、３個の部分ロールｒ１〜ｒ３のうちの幅の狭い内側２個ｒ１，ｒ２を施薬用に用いている。又、その施薬部分ロールｒ１，ｒ２の薬剤入込み用の凹部２４ａは、肥料用の凹部２４ａよりも小さいものに形成されている。
【図面の簡単な説明】
【図１】乗用型田植機の側面図
【図２】乗用型田植機の平面図
【図３】肥料ホッパの平面図
【図４】施肥装置部分の背面図
【図５】施肥装置部分の正面図
【図６】施肥装置部分の左側面図
【図７】繰出し機構の駆動構造を示す側面図
【図８】繰出し機構部分の構造を示す断面側面図
【図９】繰出し部の構造を示す断面図
【図１０】１条用の繰出し部の構造を示す断面図
【図１１】シャッタ機構を示す平面図
【図１２】部分シャッタの構造を示す斜視図
【図１３】繰出し機構駆動用の変換機構を示す側面図
【図１４】図１３に示す変換機構の断面図
【図１５】ブロワの断面図
【図１６】ブロワの側面図
【図１７】ブロワの背面図
【図１８】ブロワの支持構造を示す平面図
【図１９】送風ダクトの構造を示す断面平面図
【図２０】ホッパ蓋の開閉構造を示す作用図
【図２１】６条用と５条用のホッパ構造を示す原理図
【図２２】ホッパ蓋の開閉支点構造を示す作用図
【図２３】部分シャッタの取出し構造を示す要部の斜視図
【図２４】部分シャッタの組付け手順を示す作用図
【図２５】施薬装置内蔵の２条用施肥装置を示す断面図
【図２６】施薬装置内蔵の１条用施肥装置を示す断面図
【図２７】大ホッパ本体に内蔵された施薬ホッパを示す概略の一部切欠き側面図
【図２８】小ホッパ本体に内蔵された施薬ホッパを示す概略の一部切欠き側面図
【符号の説明】
１３      ホッパ
１３ａ    ホッパ本体
１３ｓ    開口
１５      繰出し機構
１８      ロールケース
２４ａ    凹部
２５      ロッド
２６      シャッタ
２８      ホッパ蓋
７７      突起
７９      挿通孔
７９ａ    横長孔
７９ｂ    縦長孔
８０      操作孔
８１      蓋部材
Ａ        施肥装置
Ｒ        繰出しロール
Ｚ        支点
ｗ        供給経路
【図１】
0003552944.tif 000002
【図２】
0003552944.tif 000003
【図３】
0003552944.tif 000004
【図４】
0003552944.tif 000005
【図５】
0003552944.tif 000006
【図６】
0003552944.tif 000007
【図７】
0003552944.tif 000008
【図８】
0003552944.tif 000009
【図９】
0003552944.tif 000010
【図１０】
0003552944.tif 000011
【図１１】
0003552944.tif 000012
【図１２】
0003552944.tif 000013
【図１３】
0003552944.tif 000014
【図１４】
0003552944.tif 000015
【図１５】
0003552944.tif 000016
【図１６】
0003552944.tif 000017
【図１７】
0003552944.tif 000018
【図１８】
0003552944.tif 000019
【図１９】
0003552944.tif 000020
【図２０】
0003552944.tif 000021
【図２１】
0003552944.tif 000022
【図２２】
0003552944.tif 000023
【図２３】
0003552944.tif 000024
【図２４】
0003552944.tif 000025
【図２５】
0003552944.tif 000026
【図２６】
0003552944.tif 000027
【図２７】
0003552944.tif 000028
【図２８】
0003552944.tif 000029